(57)【要約】【課題】奉安箱に適用されるＰＣＢのような回路基板の修理が容易な遺品奉安用奉安箱を提供すること。【解決手段】本明細書において開示する遺品奉安用奉安箱は、納骨箱が保管される箱と、その箱の開放された前面を覆う前面部、その前面部の移動位置を維持する移動手段、及び前面部と共に移動するＰＣＢを介して遺品奉安用奉安箱を解体せずに、単純に前面部を開放するだけで、前記ＰＣＢに構成された各種電子機器を作動できるハードウェアを容易に補修できる技術を提供する。【選択図】図１
2018047215.tif 000002
【特許請求の範囲】
【請求項１】
遺品を奉安する遺品奉安用奉安箱において、
内部に前記遺品が保管される収容空間を有し、前面に前記収容空間を外部と連通させる開口部が形成された箱と、
前記箱の前記開口部を介して前記収容空間に挿入されるか、前記収容空間から外部に引き出し可能に前記箱に設置される移動手段と、
前記移動手段の前面に設置される前面部と、
前記移動手段または前記前面部に配置され、前記前面部が移動するにつれて前記前面部と共に移動するＰＣＢと、
を備える遺品奉安用奉安箱。
【請求項２】
前記箱の内面に配置され、外部から前記ＰＣＢと連結された電力線を引き出し及び回収する弾性部を備える回収手段をさらに備える請求項１に記載の遺品奉安用奉安箱。
【請求項３】
前記ＰＣＢと向かい合う前記箱の内面に設置されて、前記電力線が前記ＰＣＢと離隔した状態を維持させる離隔部を備える請求項１に記載の遺品奉安用奉安箱。
【請求項４】
前記前面部または前記移動手段に配置され、前記ＰＣＢを自由に回転させる回転手段をさらに備える請求項１に記載の遺品奉安用奉安箱。
【請求項５】
前記前面部または前記移動手段に配置され、前記回転手段によって回転する前記ＰＣＢの回転を停止させる停止手段をさらに備える請求項４に記載の遺品奉安用奉安箱。
【請求項６】
前記移動手段は、
前記箱の内部の側面に形成されたガイド突起と、
前記ガイド突起が挿入される移動孔が長さ方向に形成されたレールと、
を備え、
前記レールは、前記移動孔を介して前記ガイド突起によってガイドされて前記収容空間に挿入されるか、前記収容空間から外部に引き出し可能であり、
前記前面部は、前記レールの一端に設置される請求項１〜５のいずれか１項に記載の遺品奉安用奉安箱。
【請求項７】
前記レールの前記一端には回転孔が形成され、前記前面部の後面には前記回転孔と対応する回転軸が形成され、
前記前面部は、前記回転孔と前記回転軸との結合によって前記レールの前記一端に設置される請求項６に記載の遺品奉安用奉安箱。
【請求項８】
前記前面部は、ディスプレイ装置を備え、
前記ディスプレイ装置は、前記ＰＣＢによって動作が制御され、
前記収容空間に保管される前記遺物は、前記ディスプレイ装置を経由して外部から見え、
前記ＰＣＢは、前記ディスプレイ装置に表示される映像、前記ディスプレイ装置の透明度、及びこれらの組み合わせのうちから選択される少なくともいずれか１つを制御することにより、前記ディスプレイ装置を透過して前記遺品が外部から見えるようにするか、前記ディスプレイ装置に表示される前記映像と共に前記遺品が外部から見えるようにするか、前記ディスプレイ装置に表示される前記映像のみが外部から見えるようにする請求項１〜５のいずれか１項に記載の遺品奉安用奉安箱。
【請求項９】
前記収容空間に配置されて、前記遺物の保管可否を感知して前記ＰＣＢに提供するセンサ部をさらに備え、
前記収容空間の底面には、前記遺品が定着し得るように前記遺品の下部形状に相応する形状と大きさで陥没されて形成される収納ホールが形成され、
前記センサ部は、前記収納ホールの側面に配置されて、前記遺物の保管可否を感知する光センサまたは前記収納ホールの底面に配置されて、前記遺物の保管可否を感知する重量センサを備え、
前記遺物は、前記収納ホールによって支持されることで、前記前面部の移動過程で前記箱に振動が発生しても倒れない請求項１〜５のいずれか1項に記載の遺品奉安用奉安箱。
【発明の詳細な説明】
【技術分野】
【０００１】
本明細書において開示する技術は、遺品を保管する奉安箱に関し、より詳細には、奉安箱に適用されるＰＣＢのような回路基板の修理が容易な遺品奉安用奉安箱に関する。
【背景技術】
【０００２】
従来の奉安箱は、通常、納骨箱を保管する通常の箱で製作され、一般に箱の後面が建物の内壁に密着された状態で底から天井まで複数個を幾重にも積んで使用されてきた。最近では、納骨箱を保管する機能の他に、ディスプレイ装置及び音響装置等の電子装置を追加して、様々な機能を保有した奉安箱が使用されている。
【０００３】
多機能奉安箱に適用される代表的な電子装置としては、奉安箱の前面の門に設置して、故人の生前の姿を出力するディスプレイパネル、奉安箱の内部または外部に付着され、故人が生前に好んで聞いた音楽を出力するスピーカなどを例に挙げることができる。最近では、これらの他に、遺品奉安用奉安箱内部に設置される照明、奉安箱内部の湿度を調節するための送風機及び発熱装置、ＳＮＳと連動される通信装置等、様々な機能の電子装置が奉安箱に設置され、実施されている実情である。
【０００４】
しかし、前記様々な機能を実現するための電子装置等に誤作動及び故障が発生する場合に、これらを修理するためには、各電子装置を奉安箱から分離したり、奉安箱を解体してこれらを補修しなければならないという不便さがある。そして、奉安箱に新しい電子装置を増設するときにも、奉安箱を解体したり、分離しなければならないという不便さがある。特に、奉安箱の内部天井に設置される照明の補修及び増設時には、やむをえず奉安箱を分離しなければならないという不便さがある。
【０００５】
これにより、本明細書では、電子装置等の維持、補修、増設などが容易な技術を提案する。
【０００６】
奉安箱に関連した従来技術としては、特許文献１および特許文献２などがある。
【先行技術文献】
【特許文献】
【０００７】
【特許文献１】韓国登録特許第１０−１６２７２４０号公報
【特許文献２】韓国公開実用新案第２０−２０１１−０００７５８２号公報
【発明の概要】
【発明が解決しようとする課題】
【０００８】
本明細書において開示する技術は、前記した従来技術の問題点を解決するために案出されたものであって、本明細書において開示する遺品奉安用奉安箱は、遺品が保管される箱と、前記箱の開放された前面を覆う前面部、前記前面部の移動位置を維持する移動手段、及び前記前面部と共に移動されるＰＣＢを介して遺品奉安用奉安箱を解体せずに、単純に前面部を開放するだけで、前記ＰＣＢに構成された各種電子機器を作動できるハードウェアを容易に補修できる技術を提供する。
【０００９】
そして、本明細書において開示する遺品奉安用奉安箱は、移動手段のガイド突起と移動孔を介してユーザの目線の高さにある遺品奉安用奉安箱に設置された各種電子機器のハードウェアを容易に補修できる技術を提供する。
【００１０】
また、本明細書において開示する遺品奉安用奉安箱は、移動手段の回転孔と回転軸を介して建物の天井または壁体などにこだわらない状態で各種電子機器のハードウェアを容易に補修できる技術を提供する。
【００１１】
また、本明細書において開示する遺品奉安用奉安箱は、回転手段を介して建物の天井または壁体などにこだわらず、ユーザの作業位置以上の高さに設置された遺品奉安用奉安箱を容易に補修できる技術を提供する。
【課題を解決するための手段】
【００１２】
一実施形態において、遺品を奉安する遺品奉安用奉安箱が開示（ｄｉｓｃｌｏｓｕｒｅ）される。
【００１３】
前記遺品奉安用奉安箱は箱、移動手段、前面部、及びＰＣＢを備える。前記箱は、内部に前記遺品が保管される収容空間を有し、前面に前記収容空間を外部と連通させる開口部が形成される。前記移動手段は、前記箱の前記開口部を介して前記収容空間に挿入されるか、前記収容空間から外部に引き出し可能に前記箱に設置される。前記前面部は、前記移動手段２００の前面に設置される。前記ＰＣＢは、前記移動手段または前記前面部に配置され、前記前面部が移動するにつれて前記前面部と共に移動する。
【００１４】
言い換えれば、前記遺品奉安用奉安箱は、遺品が保管される前面が開放された箱と、箱の前面に位置する前面部、箱に設置され、前面部と連結されて、その前面部が移動された状態を維持する移動手段、及び箱内部に位置し、前面部に沿って移動されるＰＣＢを備える。
【００１５】
そして、前記遺品奉安用奉安箱は、前記箱の内面に配置され、外部から前記ＰＣＢと連結された電力線を引き出し及び回収する弾性部と、前記ＰＣＢと向かい合う前記箱の内面に設置されて、前記電力線が前記ＰＣＢと離隔した状態を維持させる離隔部とを備えて構成される回収手段をさらに備えることができる。
【００１６】
また、前記遺品奉安用奉安箱は、前記前面部または前記移動手段に配置され、前記ＰＣＢが自由に回転されるように構成された回転手段と、前記回転手段によって回転する前記ＰＣＢの回転を停止するように構成された停止手段をさらに備えることができる。
【００１７】
一方、前記移動手段は、前記箱の内部の側面に形成された、例えば、前記箱の一側面の前面方向に突出形成されたガイド突起及び前記ガイド突起が挿入される移動孔が長さ方向に形成されたレールを備えて構成することができる。前記レールは、前記移動孔を介して前記ガイド突起によってガイドされて、前記収容空間に挿入されるか、前記収容空間から外部に引き出し可能であり、前記前面部は、前記レールの一端に設置することができる。
【００１８】
この場合、前記レールの前記一端には回転孔が形成され、前記前面部の後面には前記回転孔と対応する回転軸が形成され得る。前記前面部は、前記回転孔と前記回転軸との結合によって前記レールの前記一端に設置することができる。
【００１９】
さらに一方、前記前面部は、ディスプレイ装置を備えることができ、前記ＰＣＢは、１つ以上の電子装置の作動のためのハードウェアを備えることができる。
【００２０】
一例として、前記ディスプレイ装置は、前記ＰＣＢによって動作が制御され得る。前記収容空間に保管される前記遺物は、前記ディスプレイ装置を経由して外部から見ることができる。この場合、前記ＰＣＢは、前記ディスプレイ装置に表示される映像、前記ディスプレイ装置の透明度、及びこれらの組み合わせのうちから選択される少なくともいずれか１つを制御することができる。前記ＰＣＢの制御によって本明細書において開示する遺品奉安用奉安箱は、前記ディスプレイ装置を透過して前記遺品が外部から見えるようにするか、前記ディスプレイ装置に表示される前記映像と共に前記遺品が外部から見えるようにするか、前記ディスプレイ装置に表示される前記映像のみが外部から見えるようにすることができる。
【発明の効果】
【００２１】
本明細書において開示する遺品奉安用奉安箱は、前面部の移動位置を維持する移動手段及び前記前面部と共に移動するＰＣＢを介して遺品奉安用奉安箱を解体せずに、単純に前面部を開放するだけで、ＰＣＢに構成された各種電子機器を作動できるハードウェアを容易に補修できるという効果がある。
【００２２】
そして、本明細書において開示する遺品奉安用奉安箱は、移動手段のガイド突起と移動孔を介してユーザの目線の高さにある遺品奉安用奉安箱に設置された各種電子機器のハードウェアを容易に補修できるという効果がある。
【００２３】
また、本明細書において開示する遺品奉安用奉安箱は、移動手段の回転孔と回転軸を介して建物の天井または壁体などのような奉安箱が設置された場所、高さなどにこだわらない状態で各種電子機器のハードウェアを容易に補修できるという効果がある。
【００２４】
また、本明細書において開示する遺品奉安用奉安箱は、回転手段を介して建物の天井または壁体などのような奉安箱が設置された場所、高さなどにこだわらず、ユーザの作業位置以上の高さに設置された遺品奉安用奉安箱を容易に補修できるという効果がある。
【００２５】
また、本明細書において開示する遺品奉安用奉安箱は、収容空間に配置されるセンサ部を介して遺物の移動、紛失などによる遺物の保管可否を感知して遺族に提供するという効果がある。
【００２６】
前述した内容は、以後より詳細に記述される事項に対して簡略化された形態で選択的な概念のみを提供する。本内容は、特許請求の範囲の主な特徴または必須特徴を限定したり、特許請求の範囲の範囲を制限する意図で提供されるものではない。
【図面の簡単な説明】
【００２７】
【図１】一実施形態に係る本明細書において開示する遺品奉安用奉安箱を示す図である。
【図２】一実施形態に係る本明細書において開示する移動手段を示す図である。
【図３】図２に開示された一実施形態での作動関係を示す図である。
【図４】一実施形態に係る本明細書において開示するさらに他の移動手段を示す図である。
【図５】図４に開示された一実施形態での作動関係を示す図である。
【図６】図４に開示された一実施形態に係る実使用状況を示す図である。
【図７】一実施形態に係る本明細書において開示する回転手段と停止手段とを示す図である。
【図８】図７に開示された一実施形態での実使用状況を示す図である。
【発明を実施するための形態】
【００２８】
以下、本明細書に開示された実施形態を図面を参照して詳細に説明する。本文において他に明示しない限り、図面の類似した参照番号は、類似した構成要素を表す。詳細な説明、図面、及び請求項で詳述する例示的な実施形態は、限定のためのものではなく、他の実施形態が利用され得るし、ここで開示される技術の思想や範疇を逸脱しない限り、他の変更も可能である。当業者は、本開示の構成要素、すなわち、ここで一般的に記述され、図面に記載される構成要素を様々に他の構成で配列、構成、結合、図案することができ、これらの全ては明白に考案され、本開示の一部を形成していることが容易に理解できるであろう。図面において複数の層（または膜）、領域、及び形状を明確に表現するために、構成要素の幅、長さ、厚さ、または形状などは誇張されて表現されることもできる。
【００２９】
一構成要素が他の構成要素に「配置」と言及される場合、前記一構成要素が前記他の構成要素に直接配置される場合はもちろん、これらの間に追加的な構成要素が介在される場合も含むことができる。
【００３０】
一構成要素が他の構成要素に「連結」と言及される場合、前記一構成要素が前記他の構成要素に直接連結される場合はもちろん、これらの間に追加的な構成要素が介在される場合も含むことができる。
【００３１】
一構成要素が他の構成要素に「形成」と言及される場合、前記一構成要素が前記他の構成要素に直接形成される場合はもちろん、これらの間に追加的な構成要素が介在される場合も含むことができる。
【００３２】
一構成要素が他の構成要素に「結合」と言及される場合、前記一構成要素が前記他の構成要素に直接結合する場合はもちろん、これらの間に追加的な構成要素が介在される場合も含むことができる。
【００３３】
開示された技術に関する説明は、構造的ないし機能的説明のための実施形態に過ぎないので、開示された技術の権利範囲は、本文に説明された実施形態によって制限されることと解釈されてはならない。すなわち、実施形態は、様々な変更が可能であり、種々の形態を有することができるので、開示された技術の権利範囲は、技術的思想を実現できる均等物を含むことと理解されなければならない。
【００３４】
単数の表現は、文脈上明白に異なるように意味しない限り、複数の表現を含むことと理解されなければならず、「含む。」または「有する。」などの用語
は、実施された特徴、数字、段階、動作、構成要素、部分品、またはこれらを組み合わせたものが存在することを指定しようとするものであり、１つまたはそれ以上の他の特徴や数字、段階、動作、構成要素、部分品、またはこれらを組み合わせたものなどの存在または付加可能性を予め排除しないことと理解されなければならない。
【００３５】
ここで使用された全ての用語は、異なるように定義されない限り、開示された技術が属する分野において通常の知識を有した者によって一般的に理解されることと同一の意味がある。一般的に使用される辞書に定義された用語は、関連技術の文脈上有する意味と一致することと解釈されなければならず、本出願において明白に定義しない限り、理想的であるか、過度に形式的な意味があるものと解釈されることができない。
【００３６】
本明細書において開示する奉安箱は、故人の遺品を奉安する用途の他に、各種記念品、展示品などを保管する用途としても使用され得ることは自明であるといえる。
【００３７】
本明細書において使用する遺品という用語は、故人の遺骨が入った納骨箱の他に、故人の生前の写真、故人に献花された花、故人が生前に大切に保管した記念物などのように、故人と関連した各種物品を併せる用語として理解されなければならない。
【００３８】
本発明に添付された図１は、一実施形態に係る本明細書において開示する遺品奉安用奉安箱を示す図である。図２は、一実施形態に係る本明細書において開示する移動手段を示す図である。図３は、図２に開示された一実施形態における作動関係を示す図である。図４は、一実施形態に係る本明細書において開示するさらに他の移動手段を示す図である。図５は、図４に開示された一実施形態における作動関係を示す図である。図６は、図４に開示された一実施形態に係る実使用状況を示す図である。図７は、一実施形態に係る本明細書において開示する回転手段と停止手段を示す図である。図８は、図７に開示された一実施形態における実使用状況を示す図である。
【００３９】
以下、図面を参照して本明細書において開示する遺品を奉安する遺品奉安用奉安箱を説明する。図面を参照すれば、遺品奉安用奉安箱は、箱１００、移動手段２００、前面部３００、及びＰＣＢ４００を備える。いくつかの他の実施形態において、遺品奉安用奉安箱は、選択的に（ｏｐｔｉｏｎａｌｌｙ）回収手段５００をさらに備えることができる。いくつかのさらに他の実施形態において、遺品奉安用奉安箱は、選択的に回転手段６００をさらに備えることができる。いくつかのさらに他の実施形態において、遺品奉安用奉安箱は、選択的に停止手段７００をさらに備えることができる。いくつかのさらに他の実施形態において、遺品奉安用奉安箱は、選択的にセンサ部（図示せず）をさらに備えることができる。
【００４０】
箱１００は、内部に前記遺品が保管される収容空間を有し、前面に前記収容空間を外部と連通させる開口部が形成される。一方、前記箱１００は、以下に説明されるＰＣＢ４００及び箱１００内部に設置される電子装置等の電力供給のための外部電力線が貫通して設置されるが、電力線が貫通する部分が完全に塞がるように箱１００と電力線との間をシリコンなどの様々な方法で密閉して、クモなどの虫が箱１００内部に入ることができないように構成することが好ましい。
【００４１】
移動手段２００は、箱１００の前記開口部を介して前記収容空間に挿入されるか、前記収容空間から外部に引き出し可能に箱１００に設置される。
【００４２】
一実施形態において、移動手段２００は、箱１００の内部の側面に形成されたガイド突起２１０及びガイド突起２１０が挿入される移動孔２２１が長さ方向に形成されたレール２２０を備えることができる。レール２２０は、移動孔２２１を介してガイド突起２１０によってガイドされて前記収容空間に挿入されるか、前記収容空間から外部に引き出し可能である。前面部３００は、レール２２０の一端に設置され得る。
【００４３】
一例として、レール２２０の前記一端には回転孔２２３が形成され、前面部３００の後面には回転孔２２３と対応する回転軸２３０が形成され得る。この場合、前面部３００は、回転孔２２３と回転軸２３０との結合によってレール２２０の前記一端に設置することができる。
【００４４】
前面部３００は、移動手段２００の前面に設置される。一例として、前面部３００は、ディスプレイ装置を備えることができる。前記ディスプレイ装置は、ＰＣＢ４００によって動作が制御され得る。前記収容空間に保管される前記遺物は、前記ディスプレイ装置を経由して外部から見ることができる。
【００４５】
この場合、ＰＣＢ４００は、前記ディスプレイ装置に表示される映像、前記ディスプレイ装置の透明度、及びこれらの組み合わせのうちから選択される少なくともいずれか１つを制御できる。ＰＣＢ４００の制御によって本明細書において開示する遺品奉安用奉安箱は、前記ディスプレイ装置を透過して前記遺品が外部から見えるようにしたり、前記ディスプレイ装置に表示される前記映像と共に前記遺品が外部から見えるようにしたり、前記ディスプレイ装置に表示される前記映像のみが外部から見えるようにすることができる。前記ディスプレイ装置に表示される前記映像は、故人の生前の姿を見せる映像、家族などが故人に献花した花のデジタル映像、故人の家族らの最近の姿を撮影した映像などでありうる。
【００４６】
ＰＣＢ４００は、前面部３００が移動するにつれて共に移動する。すなわち、ＰＣＢ４００は、前面部３００が箱１００の前面に密着された状態では、箱１００の内部に位置し、前面部３００が移動する場合に前面部３００と共に移動する。このために、ＰＣＢ４００は、移動手段２００または前面部３００に配置されることができる。ＰＣＢ４００は、１つ以上の電子装置の作動のためのハードウェアをさらに備えることができる。
【００４７】
回収手段５００は、箱１００の内面に配置され、外部からＰＣＢ４００と連結された電力線を引き出し及び回収する弾性部５１０を備えることができる。一例として、回収手段５００は、ＰＣＢ４００と向かい合う箱１００の内面に設置されて、前記電力線がＰＣＢ４００と離隔した状態を維持させる離隔部５２０を備えることができる。
【００４８】
回転手段６００は、ＰＣＢ４００が自由に回転されるようにすることができる。すなわち、回転手段６００は、前面部３００が箱１００の前面に密着された状態では、箱１００の内部に位置し、前面部３００が移動する場合に、前面部３００と共に移動することができる。このために、回転手段６００は、前面部３００または移動手段２００に配置することができる。
【００４９】
停止手段７００は、回転手段６００または回転手段６００によって回転するＰＣＢ４００の回転を停止させることができる。すなわち、停止手段７００は、回転手段６００によって回転するＰＣＢ４００が所定の角度範囲内で回転した後、停止させることで、ＰＣＢ４００の交替または修理作業時に作業者の便宜を図ることができる。このために、停止手段７００は、前面部３００または移動手段２００に配置することができる。
【００５０】
センサ部は、前記収容空間に配置されて、前記遺物の保管可否を感知してＰＣＢ４００に提供することができる。前記収容空間の底面には、前記遺品が定着できるように、前記遺品の下部形状に相応する形状と大きさで陥没されて形成される収納ホール（図示せず）が形成され得る。例えば、前記センサ部は、前記収納ホールの側面に配置されて、前記遺物の保管可否を感知する光センサ（図示せず）または前記収納ホールの底面に配置されて、前記遺物の保管可否を感知する重量センサ（図示せず）を備えることができる。前記収納ホールは、複数個形成することができ、前記センサ部は、前記複数の収納ホールの各々に配置することもできる。一方、前記収納ホールに定着する前記遺物は、前記収納ホールによって支持されることにより、前面部３００の移動過程で箱１００に振動が発生しても倒れないようにできる。
【００５１】
前記光センサは、光源（図示せず）及び受光部（図示せず）を含んで構成することができる。一例として、前記光源と前記受光部とは、前記収納ホールの側壁に互いに対向して配置することができる。この場合、前記光センサは、前記光源で生成された光が前記受光部に入射されるか否かによって前記収納ホールに前記遺物が保管されているか否かを感知できる。他の例として、前記光源と前記受光部とは、前記収納ホールの側壁に互いに隣接して配置することができる。この場合、前記光センサは、前記光源で生成された光が前記遺物に反射されて戻ってくる過程で、前記受光部で感知される反射光の強さを介して前記収納ホールに前記遺物が保管されているか否かを感知できる。
【００５２】
前記重量センサは、前記遺物の荷重を感知して、前記遺物の収納可否、前記遺物の収納量などを感知できる。
【００５３】
その他にも、前記センサ部は、イメージセンサ（図示せず）、高周波センサ（図示せず）などをさらに備えることができる。イメージセンサは、前記収容空間に配置された前記遺物の形状情報を感知して、前記遺物の保管可否を感知できる。前記高周波センサは、前記収容空間に配置された前記遺物にＲＦ信号を送信し、前記遺物に付着されたＲＦ  ＩＤから受信される信号によって前記遺物の保管可否を感知できる。
【００５４】
これらのセンサは、少なくとも１つが選択されて前記収容空間に配置されるか、同時に配置されることにより、感知の信頼性を向上させることもできる。一例として、前記収容空間に前記遺品と形状は似ているが、異なる重量の遺品が取り違えられて配置することができる。この場合、イメージセンサまたは光センサのみを使用する場合、異なる重量の遺品が前記収容空間に収納されたか否かを正確に判断し難い。このとき、重量センサを同時に設置すれば、前記収容空間に奉安された前記遺品の情報を一層正確に感知することができる。
【００５５】
一方、前面部３００の前記ディスプレイ装置には、前記収容空間に前記遺品が保管されているか否かが表示され得る。前記ディスプレイ装置は、前記収容空間に保管される前記遺品の種類、保管状態、紛失可否などを入力する入力部としての機能を果たすことができる。また、入力部としての前記ディスプレイ装置を介して奉安箱を訪問した訪問者は、芳名録を作成したり、献花などをすることができる。
【００５６】
ＰＣＢ４００は、前記センサ部で受信された信号に応じて前記収容空間に前記遺品が保管されているか否かを確認した後、前記遺品の保管可否が前記ディスプレイ装置に表示されるように制御する制御部（図示せず）を備えることができる。前記制御部は、箱１００またはＰＣＢ４００に装着される通信部（図示せず）を介して前記遺品の保管可否、紛失可否、訪問者の訪問可否などを奉安箱管理者の携帯用通信機器に伝送することができる。
【００５７】
さらに一方、前記収納ホールの内部または前記収納ホールに隣接した前記収容空間には、少なくとも１つのＬＥＤが配置され得る。前記制御部は、前記センサ部を介して前記収納ホールに定着する、前記遺物のうちの一部が紛失されたか、取り違えられたことが確認された場合に、当該遺物に対応するＬＥＤを点灯させて遺物の紛失可否または変更可否を表示できる。
【００５８】
以下、本発明の各構成に関して詳細に説明する。
【００５９】
箱１００は、通常の遺骨粉を保管する納骨箱を保管する様々な形状の箱であって、内部が空いた形態で形成される。ただし、本発明では、図１に開示されたように、本発明の容易な説明のために、一側面が開放され、内部が空いた四角形箱を例として開示する。箱１００の空いた内部は、遺品が保管される収容空間の機能を有する。
【００６０】
移動手段２００は、箱１００の開口部を介して前記収容空間に挿入されるか、前記収容空間から外部に引き出し可能に箱１００に設置される。例を挙げて説明すれば、移動手段２００は、箱１００の前面に前後方向に移動されるものであって、図２を参照して説明すれば、大別してガイド突起２１０とレール２２０とで構成される。
【００６１】
ガイド突起２１０は、例えば、箱１００を構成する垂直面の内側前面方向に円形に突出された突起で構成することができ、レール２２０は、箱１００の深さより短い長さで形成され、ガイド突起２１０が挿入されてレール２２０の長さ方向に移動され得る長孔の移動孔２２１が形成される。
【００６２】
移動孔２２１の上下幅は、ガイド突起２１０の最大直径以上となるようにし、レール２２０が自由に回転され得るようにすることができる。
【００６３】
言い換えれば、移動手段２００は、箱１００に構成されたガイド突起２１０にレール２２０の移動孔２２１を挟む過程を介して箱１００にレール２２０を設置して構成される。移動手段２００は、ガイド突起２１０により移動孔２２１に沿って自由な移動が可能なレール２２０を介して自由な移動が可能なように構成することができる。
【００６４】
上記のように構成された移動手段２００は、以下に説明される前面部３００がレール２２０の終端に結合し、ユーザが前面部３００を押すと、レール２２０がガイド突起２１０によって箱１００内部に移動されて、前面部３００により箱１００の前面が閉鎖されることを可能にする。
【００６５】
一方、図２に開示されたように、レール２２０が移動される経路を突出させ、その突出された経路の前面終端にガイド突起２１０を形成し、レール２２０の上下部にはレールガイド２２２を各々形成して、レール２２０が安定的な直線移動及び位置固定可能であると同時に、レール２２０が箱１００内部に完全に移動される場合にも、安定的な位置固定がなされ得るであろう。さらに、ガイド突起２１０を水平線上に１つ以上に形成（図示せず）したり、ガイド突起２１０の形状を四角形などの直線面を含む形状で構成（図示せず）する等、様々な構成を実施できるであろう。
【００６６】
また、移動手段２００を使用する過程でガイド突起２１０から移動孔２２１が離脱することもできるが、これを防止するために、図１のように、箱１００の両方内側面に各々移動手段２００を設置することもできる。また、図２のように、ガイド突起２１０の終端にそのガイド突起２１０の直径より大きい直径を有する突起を追加構成することもできるであろう。さらに、前面部３００が箱１００内部に挟まれるように構成（図示せず）することもできる等、様々な構成を実施できるであろう。
【００６７】
そして、図４のように、移動手段２００のレール２２０の前面方向終端には回転孔２２３がさらに形成され、以下に説明される前面部３００の後面にその回転孔２３０に対応する回転軸２３０がさらに形成され得る。
【００６８】
このように形成された移動手段２００は、回転軸２３０を回転孔２２３に挿入する過程を介して前面部３００がレール２２０に結合されることを可能にする。これを介して、図５に示したように、ガイド突起２１０と回転軸２３０とによってレール２２０と前面部３００とは各々自由回転されるように構成することができる。
【００６９】
そして、前面部３００は、図１のように、箱１００の開放された前面を覆うことができる形態で形成することができ、移動手段２００に結合完成されてユーザが前面部３００を押すか、引く場合に、箱１００が前面部３００によって開閉されるように構成することができる。
【００７０】
一方、前面部３００には、ＯＬＥＤ（Ｏｒｇａｎｉｃ  Ｌｉｇｈｔ  Ｅｍｉｔｔｉｎｇ  Ｄｉｏｄｅ）またはＬＣＤ（ｌｉｑｕｉｄ  ｃｒｙｓｔａｌ  ｄｉｓｐｌａｙ）などのディスプレイ装置とスピーカ、動作感知センサ、音声認識スピーカなどが設置され得る。
【００７１】
ＰＣＢ４００は、通常の回路基板であって、ＰＣＢ４００には、遺品奉安用奉安箱に設置される各種電子機器（電灯、スピーカ、ディスプレイ、センサ、通信装置等）等のハードウェア及びこれらのハードウェアを制御する回路基板などが設置され得る。ＰＣＢ４００は、図１において例として図示したように、移動手段２００のレール２２０側面に結合されて箱１００の上部内面に向かうように結合完成され、前面部３００を引っ張って箱１００を開放する場合に、ＰＣＢ４００がレール２２０の移動によって前面に移動され、ＰＣＢ４００上部面が開放された状態に置かれるように構成することができる。一方、図面には、箱１００の上部内面に向かうように移動手段２００に結合完成されたＰＣＢ４００が例として表現されているが、ＰＣＢ４００は、箱１００の側面内面に向かうように移動手段２００に結合することもできる。
【００７２】
このように構成されたＰＣＢ４００は、前面部３００を引き出して箱１００を開放する場合に、前面部３００と共にＰＣＢ４００が移動して露出することができ、遺品奉安用奉安箱に設置された各種電子機器等の維持及び補修が容易になる。
【００７３】
一方、ＰＣＢ４００は、移動手段２００の他に、前面部３００に設置されても構わないが、移動手段２００の回転孔２２３と回転軸２３０との構成を含む場合には、移動手段２００に結合されることが好ましい。
【００７４】
回収手段５００は、図３に例として図示したように、弾性部５１０を備える。箱１００には、遺品奉安用奉安箱に設置される各種電子機器に電力を供給するために、箱１００のある一側面の流入口を介して箱１００内部に流入して、前記電子機器と連結される電力線が配置される。弾性部５１０の一端は、箱１００内部に流入して、前記電子機器と連結される前記電力線部位のうち、前記流入口に隣接した部位（以下、「第１の部位」という）に設置され、弾性部５１０の他端は、前記電子機器と連結される前記電力線の終端またはこれに隣接した部位（以下、「第２の部位」という）に設置することができる。図面には、前記電子機器の例としてＰＣＢ４００が表現されている。
【００７５】
このように構成された回収手段５００は、ＰＣＢ４００が前面に移動される場合には、ＰＣＢ４００、すなわち、前記第２の部位に連結された弾性部５１０の前記他端がＰＣＢ４００と共に移動して弾性部５１０は引っ張られる。そして、ＰＣＢ４００が箱１００内部に収容されるときは、弾性部５１０の復原力によって前記第２の部位は箱１００の内側面に収縮されることにより、外部に露出した前記電力線を箱１００内部に引っ張るように構成することができる。
【００７６】
一方、回収手段５００は、電力線が巻いたローラと、そのローラにコイルスプリングなどを設置して、電力線が解けたときに再度巻かれるように構成された装置などを使用しても構わないであろう。
【００７７】
そして、回収手段５００には、ＰＣＢ４００と向かい合う箱１００内面に前記電力線が挿入されるようにリング形状で形成されて設置された離隔部５２０がさらに構成され得る。離隔部５２０を介して前記電力線がＰＣＢ４００と離隔した状態になり、これを維持するように構成することができる。
【００７８】
回転手段６００は、図７のように、ＰＣＢ４００が設置される板（以下、「回転板」という）と、前記回転板の側面と移動手段２００のレール２２０側面とをヒンジ構造で結合して、ＰＣＢ４００が自由に回転されるようにするヒンジ部で構成することができる。
【００７９】
一方、回転手段６００によって回転して上部方向に向かう前記回転板部分にＰＣＢ４００が設置されることが好ましい。一方、箱１００内部を明かす照明、前記収容空間の温度を感知する温度センサ、前記収容空間の湿度を感知する湿度センサなどのその他の電子装置等は、ＰＣＢ４００が設置される前記回転板部分または前記回転板部分の反対面に設置されても関係ない。
【００８０】
停止手段７００は、図７のように、回転手段６００、すなわち、前記回転板がレール２２０と水平な状態で箱１００前面に位置した回転手段６００、すなわち、前記回転板の上部面が接するようにレール２２０側面に形成される第１の突起で構成することができる。また、停止手段７００は、図７のように、回転手段６００、すなわち、前記回転板がレール２２０と水平な状態で箱１００後面に位置した回転手段６００、すなわち、前記回転板の下部面が接するようにレール２２０側面に形成される第２の突起で構成することもできる。
【００８１】
このように形成された停止手段７００は、箱１００が前面部３００によって閉鎖される過程で回転手段６００がレール２２０と水平な状態を維持する機能を果たす。
【００８２】
より具体的に話すと、ユーザは、前面部３００を引っ張って箱１００からＰＣＢ４００を引き出すことができる。ＰＣＢ４００を回転手段６００に配置することにより、引き出されたＰＣＢ４００は、回転手段６００によって自由に回転される。これを介してユーザは、ＰＣＢ４００、回転手段６００に配置されるその他の電子装置等の交替、修理などを容易に進行することができる。その後、ＰＣＢ４００、すなわち、回転手段６００を箱１００内部に挿入する過程で停止手段７００は、回転手段６００がレール２２０と水平な状態を維持させることで、前記収容空間に収容される前記遺物が回転手段６００によって干渉されないようにできる。
【００８３】
一方、回転手段６００と停止手段７００とは、本発明の一実施形態であり、通常の技術者であれば、従来フォルダ型の携帯電話に適用されたヒンジ装置などに代替しても関係ない。
【００８４】
以下、前記構成の結合関係及び作動関係をさらに詳細に説明すれば、次のとおりである。
【００８５】
一実施形態として、図１〜図３のように、本明細書において開示する遺品奉安用奉安箱は、箱１００内部の垂直部材の両側面にガイド突起２１０を形成し、移動孔２２１が形成されたレール２２０の移動孔２２１をガイド突起２１０と締結して移動手段２００を設置した後、移動手段２００のレール２２０前面に前面部３００を設置し、移動手段２００の各レール２２０間にＰＣＢ４００を設置することによって組立完成できる。上述した組立順序は、１つの例示であって、上述した組立順序は、ユーザの選択によって変えることができる。
【００８６】
このように結合完成された一実施形態では、ユーザが前面部３００を引っ張る場合、前面部３００が箱１００から分離され、その前面部３００と結合された移動手段２００のレール２２０が前面部３００と共に移動される。
【００８７】
このとき、レール２２０は、移動孔２２１に挿入されたガイド突起２１０に沿って移動され、そのレール２２０の移動によって各移動手段２００間に設置されたＰＣＢ４００が箱１００外部に露出する。このとき、図１のように、前面部３００とＰＣＢ４００とは逆「Ｌ」字形状の状態に維持されるか、図３のように、ガイド突起２１０を軸として移動孔２２１を介してレール２２０が回転し、「＞」形状の状態に変更することもできる。
【００８８】
上記のように、箱１００内外部に構成される電子装置を補修及び交換しようとする場合、本明細書の遺品奉安用奉安箱は、ユーザが前面部３００のみを引っ張るだけで、各電子装置を駆動するハードウェアを簡便に補修及び交換できるという効果を提供することができる。また、本明細書の遺品奉安用奉安箱のユーザは、ユーザの目通り以下に位置した遺品奉安用奉安箱を補修及び交換しようとする場合には、前面部３００とＰＣＢ４００とを逆「Ｌ」字形状の状態で使用することができる。また、本明細書の遺品奉安用奉安箱のユーザは、ユーザの目通りと一致する高さに補修及び交換しようとする遺品奉安用奉安箱が位置する場合には、前面部３００とＰＣＢ４００との形状を「＞」形態にして、別の梯子などの道具を使用しなくとも簡便に補修及び交換できるという効果を提供できる。
【００８９】
そして、他の実施形態として、図４〜図６のように、本明細書において開示する遺品奉安用奉安箱は、箱１００内部の垂直部材両側面にガイド突起２１０を形成し、移動孔２２１及び回転孔２２３が形成されたレール２２０の移動孔２２１をガイド突起２１０と締結して移動手段２００を設置した後、移動手段２００の回転孔２２３に前面部３００の後面に形成された回転軸２３０を挿入して前面部３００を設置し、移動手段２００の各レール２２０間にＰＣＢ４００を設置することによって組立完成できる。上述した組立順序は、１つの例示であって、上述した組立順序は、ユーザの選択によって変えることができる。
【００９０】
このように結合完成された他の実施形態では、ユーザが前面部３００を引っ張る場合、前面部３００が箱１００から分離され、その前面部３００と結合された移動手段２００のレール２２０が前面部３００と共に移動されてＰＣＢ４００が箱１００外部に露出する
【００９１】
。
このとき、レール２２０は、ガイド突起２１０を軸として移動孔２２１を介して自由回転され、前面部３００は、回転孔２２３を軸として回転軸２３０を介して自由回転されて、前面部３００とＰＣＢ４００との形状を逆「Ｌ」字形状、「＞」形状、及び「１」字形状の状態に変形できるようになる。
【００９２】
上記のように、箱１００内外部に構成される電子装置を補修及び交換しようとする場合、本明細書の遺品奉安用奉安箱は、ユーザが前面部３００のみを引っ張るだけで、各電子装置を駆動するハードウェアを簡便に補修及び交換できるという効果を提供できる。なお、特に、天井と当接する位置にある遺品奉安用奉安箱を修理するときには、前面部３００を引っ張ってＰＣＢ４００を露出させても天井のために作業空間を確保できないが、本発明によって前面部３００とＰＣＢ４００との形状を「＞」形状または「１」字形状の状態に変形でき、ユーザに作業空間を簡便に確保させるという効果を提供できる。
【００９３】
さらに他の実施形態として、図７〜図８のように、本明細書において開示する遺品奉安用奉安箱は、箱１００内部の垂直部材両側面にガイド突起２１０を形成し、移動孔２２１及び回転孔２２３が形成されたレール２２０の移動孔２２１をガイド突起２１０と締結して移動手段２００を設置した後、移動手段２００の回転孔２２３に前面部３００の後面に形成された回転軸２３０を挿入して前面部３００を設置し、移動手段２００の各レール２２０間に回転手段６００を介してＰＣＢ４００を設置することによって組立完成されることができる。上述した組立順序は、１つの例示であって、上述した組立順序は、ユーザの選択によって変えることができる。
【００９４】
このように結合完成されたさらに他の実施形態では、ユーザが前面部３００を引っ張る場合、前面部３００が箱１００から分離され、その前面部３００と結合された移動手段２００のレール２２０が前面部３００と共に移動されて、ＰＣＢ４００が箱１００外部に露出する。
【００９５】
このとき、レール２２０は、ガイド突起２１０を軸として移動孔２２１を介して自由回転され、前面部３００は、回転孔２２３を軸として回転軸２３０を介して自由回転されて、前面部３００とＰＣＢ４００との形状を逆「Ｌ」字形状、「＞」形状、及び「１」字形状の状態に変形できるようになる。
【００９６】
そして、ＰＣＢ４００は、回転手段６００によって自由に回転されて、前面部３００とＰＣＢ４００との形状が逆「Ｌ」字形状の場合には、ＰＣＢ４００が回転されて垂直な状態で回転されつつ、ＰＣＢ４００の上部面が箱１００前方に向かうようになり、「＞」形状の場合にも、容易な回転を介してＰＣＢ４００の上部面が箱１００前方に向かうようにすることができ、「１」字形状の場合には、ＰＣＢ４００を水平な状態で回転させてＰＣＢ４００上部面が箱１００下部に向かうようにすることができる。
【００９７】
上記のように、箱１００内外部に構成される電子装置を補修及び交換しようとする場合、本明細書の遺品奉安用奉安箱は、ユーザが前面部３００のみを引っ張るだけで、各電子装置を駆動するハードウェアを簡便に補修及び交換できるという効果を提供できる。なお、特に、天井と当接した位置にある遺品奉安用奉安箱を修理するときには、前面部３００を引っ張ってＰＣＢ４００を露させても、天井のために作業空間を確保できないが、本発明を介して前面部３００とＰＣＢ４００との形状を「＞」形状または「１」字形状の状態に変形でき、ユーザに作業空間を簡便に確保できるという効果を提供できる。また、ユーザは、ユーザ目線の高さ以上であり、手が届く高さに位置した遺品奉安用奉安箱を修理するときに、前面部３００とＰＣＢ４００との形状を「１」字形状とした後、回転手段６００を介してＰＣＢ４００の上部面が箱１００の下部に向かうようにした状態に変更することにより、梯子などの道具を使用しなくとも簡便に補修及び交換をすることができる。
【００９８】
一方、前記実施形態等は、停止手段７００をさらに備えることができる。箱１００が前面部３００を介して閉鎖される場合、停止手段７００を介して回転手段６００をレール２２０と水平な状態に維持することができる。さらに一方、前記様々な実施形態等は、回収手段５００をさらに備えることができる。この場合、ＰＣＢ４００が箱１００内部に収容される過程で回収手段５００、すなわち、弾性部５１０の復原力によって弾性部５１０の他端が弾性部５１０の一端が引き込まれた箱１００の内側面に収縮されながら電力線を引っ張ることができる。これを介して電力線は、ＰＣＢ４００上部に残留することができ、電力線が各種回路装置にかからないようにするという効果を提供することができる。この場合、離隔部５２０をさらに備えることにより、電力線がＰＣＢ４００と離隔した状態になるように維持して、電力線が回路装置にかからないようにするという効果を向上させることができる。
【００９９】
さらに、前記離隔部５２０は、前記弾性部５１０と別に構成し、ＰＣＢ４００が移動される距離の中間部分に設置して実施しても構わず、前記回収手段５００に代えて、ガイド突起２１０及びレール２２０を伝導体で構成し、外部の電力線がガイド突起２１０に連結され、ＰＣＢ４００がレール２２０に電気的に連結されるように構成して、電線の露出無しで外部の電力をＰＣＢ４００に供給でき、電線がＰＣＢ４００などにかかるという問題点が解決されるように構成しても関係ない。一方、電気安全のために、少なくとも前記レール２２０には、前記ガイド突起２１０と接する部分である移動孔２２１の内側面のみを伝導体で構成してもよく、前記ガイド突起２１０の長さ方向に等分して、一方は負極に、他方は正極に外部の電力線を連結し、前記移動孔２２１の内側面も等分されたガイド突起２１０と対応するように前導体を等分して構成するか、引き出しなどで使用される通常の引き出しレールを伝導体で構成して、前記移動手段２００と別に構成する等の様々な方法で実施することができるであろう。
【０１００】
一方、前記様々な実施形態等は、本発明の容易な説明のために限定したものであり、前面部３００の安定的な移動及び位置固定のために、レール２２０が移動される経路を突出させ、そのレール２２０の上下部にはレールガイド２２２を各々形成でき、ガイド突起２１０を水平線上に１つ以上に形成（図示せず）するか、ガイド突起２１０の形状を四角形などの直線面を含む形状で構成（図示せず）する等、様々に変更して実施することもできるであろう。
【０１０１】
また、ガイド突起２１０と回転軸２３０とが離脱することもできるが、これを防止するために、ガイド突起２１０と回転軸２３０との終端にそのガイド突起２１０及び回転軸２３０の直径より大きい直径を有する突起を追加構成することもできる等、様々に変形して実施することができる。
【０１０２】
上記のように、本開示の様々な実施形態が例示のために記述され、なお、本開示の範疇及び思想から逸脱せずに、可能な様々な変形例が存在することを理解できるであろう。そして、開示されている前記様々な実施形態は、本発明に開示された思想を限定するためのものではなく、本当の思想及び範疇は、下記の請求項から提示されるであろう。
【符号の説明】
【０１０３】
１００  箱
２００  移動手段
２１０  ガイド突起
２２０  レール
２２１  移動孔
２２２  ガイド
２２３  回転孔
２２４  離脱防止溝
２３０  回転軸
３００  前面部
４００  ＰＣＢ
５００  回収手段
５１０  弾性部
５２０  離隔部
６００  回転手段
７００  停止手段
【図１】
2018047215.tif 000003
【図２】
2018047215.tif 000004
【図３】
2018047215.tif 000005
【図４】
2018047215.tif 000006
【図５】
2018047215.tif 000007
【図６】
2018047215.tif 000008
【図７】
2018047215.tif 000009
【図８】
2018047215.tif 000010